(57)【要約】【課題】  油溶性汚れと水溶性汚れの両方の汚れを落とすことができ、ドライクリーニング溶剤と特殊水との乳化状態を長期にわたって保持することができ、かつドライクリーニング溶剤と水の分離を容易に行うことができるクリーニング用洗剤と、乳化状態を保持するためのクリーニング用洗剤を使用する洗濯機を提供する。【解決手段】  最初にイオン交換樹脂を通過させ、次にトルマリン４６と金属４８とを混在させたものとに通過させて成る特殊水と、ドライクリーニング溶剤と、ひまし油とを混合する者である。特殊水とドライクリーニング溶剤の重量比を４０：６０〜６０：４０とし、ドライクリーニング溶剤の重量１００に対し前記ひまし油の重量３以上とする。これによって、特殊水とドライクリーニング溶剤との乳化を可能とし、更にその乳化状態を長期間保持することができる。【選択図】  図１
2008106168.tif 000002
【特許請求の範囲】
【請求項１】
水を最初にイオン交換樹脂を通過させ、次にトルマリンと水に溶けて人体に悪影響を及ぼすことがない金属とを混在させたものとに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項２】
前記ドライクリーニング溶剤の重量１００に対し前記ひまし油の重量７以上としたことを特徴とする請求項１記載のクリーニング用洗剤。
【請求項３】
前記イオン交換樹脂がイオン交換によってナトリウムイオンを発生させることを特徴とする請求項１記載のクリーニング用洗剤。
【請求項４】
前記金属がアルミニウム，ステンレス及び銀のうちの少なくとも１つから成ることを特徴とする請求項１記載のクリーニング用洗剤。
【請求項５】
前記トルマリンと前記金属との重量比を１０：１〜１：１０としたことを特徴とする請求項１記載のクリーニング用洗剤。
【請求項６】
前記トルマリンはセラミックに対し重量比１０％以上の割合で混合させて８００°Ｃ以上で加熱したものとすることを特徴とする請求項１記載のクリーニング用洗剤。
【請求項７】
前記マイナス電子を有する岩石が黒曜石，真珠岩及び松脂岩のうちの少なくとも１つから成ることを特徴とする請求項１記載のクリーニング用洗剤。
【請求項８】
前記マイナス電子を有する岩石を８００°Ｃ以上で加熱したものとすることを特徴とする請求項１記載のクリーニング用洗剤。
【請求項９】
水を最初にイオン交換樹脂を通過させ、次にトルマリンと水に溶けて人体に悪影響を及ぼすことがない金属とを混在させたものとに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項１０】
前記ドライクリーニング溶剤の重量１００に対し前記ひまし油の重量７以上としたことを特徴とする請求項９記載のクリーニング用洗剤。
【請求項１１】
前記イオン交換樹脂がイオン交換によってナトリウムイオンを発生させることを特徴とする請求項９記載のクリーニング用洗剤。
【請求項１２】
前記金属がアルミニウム，ステンレス及び銀のうちの少なくとも１つから成ることを特徴とする請求項９記載のクリーニング用洗剤。
【請求項１３】
前記トルマリンと前記金属との重量比を１０：１〜１：１０としたことを特徴とする請求項９記載のクリーニング用洗剤。
【請求項１４】
前記トルマリンはセラミックに対し重量比１０％以上の割合で混合させて８００°Ｃ以上で加熱したものとすることを特徴とする請求項９記載のクリーニング用洗剤。
【請求項１５】
水を最初にイオン交換樹脂を通過させ、次にマイナス電子を有する岩石に通過させて、その後トルマリンと水に溶けて人体に悪影響を及ぼすことがない金属とを混在させたものとに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項１６】
前記ドライクリーニング溶剤の重量１００に対し前記ひまし油の重量７以上としたことを特徴とする請求項１５記載のクリーニング用洗剤。
【請求項１７】
前記イオン交換樹脂がイオン交換によってナトリウムイオンを発生させることを特徴とする請求項１５記載のクリーニング用洗剤。
【請求項１８】
前記金属がアルミニウム，ステンレス及び銀のうちの少なくとも１つから成ることを特徴とする請求項１５記載のクリーニング用洗剤。
【請求項１９】
前記トルマリンと前記金属との重量比を１０：１〜１：１０としたことを特徴とする請求項１５記載のクリーニング用洗剤。
【請求項２０】
前記トルマリンはセラミックに対し重量比１０％以上の割合で混合させて８００°Ｃ以上で加熱したものとすることを特徴とする請求項１５記載のクリーニング用洗剤。
【請求項２１】
前記マイナス電子を有する岩石が黒曜石，真珠岩及び松脂岩のうちの少なくとも１つから成ることを特徴とする請求項１５記載のクリーニング用洗剤。
【請求項２２】
前記マイナス電子を有する岩石を８００°Ｃ以上で加熱したものとすることを特徴とする請求項１５記載のクリーニング用洗剤。
【請求項２３】
最初にイオン交換樹脂を通過させ、次にマイナス電子を有する岩石に通過させて成る第４特殊水と、ドライクリーニング溶剤と、ひまし油とを混合して成るものであって、前記特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項２４】
前記ドライクリーニング溶剤の重量１００に対し前記ひまし油の重量７以上としたことを特徴とする請求項２３記載のクリーニング用洗剤。
【請求項２５】
前記イオン交換樹脂がイオン交換によってナトリウムイオンを発生させることを特徴とする請求項２３記載のクリーニング用洗剤。
【請求項２６】
前記マイナス電子を有する岩石が黒曜石，真珠岩及び松脂岩のうちの少なくとも１つから成ることを特徴とする請求項２３記載のクリーニング用洗剤。
【請求項２７】
前記マイナス電子を有する岩石を８００°Ｃ以上で加熱したものとすることを特徴とする請求項２３記載のクリーニング用洗剤。
【請求項２８】
水を最初にイオン交換樹脂を通過させ、次にトルマリンと水に溶けて人体に悪影響を及ぼすことがない金属とを混在させたものとに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項２９】
前記吐出管の出口付近にノズルを備え、前記ノズルからの流体を前記網に噴射させることを特徴とする請求項２８記載のクリーニング用洗剤を使用する洗濯機。
【請求項３０】
前記吸入管の開口部を吐出管の開口部より上方に配置した場合において、前記吸入管における開口部より下方の位置に管の内外に通じる穴を設けたことを特徴とする請求項２８記載のクリーニング用洗剤を使用する洗濯機。
【請求項３１】
前記ドライクリーニング溶剤の重量１００に対し前記ひまし油の重量７以上としたことを特徴とする請求項２８記載のクリーニング用洗剤を使用する洗濯機。
【請求項３２】
前記金属がアルミニウム，ステンレス及び銀のうちの少なくとも１つから成ることを特徴とする請求項２８記載のクリーニング用洗剤を使用する洗濯機。
【請求項３３】
前記マイナス電子を有する岩石が黒曜石，真珠岩及び松脂岩のうちの少なくとも１つから成ることを特徴とする請求項２８記載のクリーニング用洗剤を使用する洗濯機。
【請求項３４】
水を最初にイオン交換樹脂を通過させ、次にトルマリンと水に溶けて人体に悪影響を及ぼすことがない金属とを混在させたものとに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項３５】
前記吐出管の出口付近にノズルを備え、前記ノズルからの流体を前記網に噴射させることを特徴とする請求項３４記載のクリーニング用洗剤を使用する洗濯機。
【請求項３６】
前記吸入管の開口部を吐出管の開口部より上方に配置した場合において、前記吸入管における開口部より下方の位置に管の内外に通じる穴を設けたことを特徴とする請求項３４記載のクリーニング用洗剤を使用する洗濯機。
【請求項３７】
前記ドライクリーニング溶剤の重量１００に対し前記ひまし油の重量７以上としたことを特徴とする請求項３４記載のクリーニング用洗剤を使用する洗濯機。
【請求項３８】
前記金属がアルミニウム，ステンレス及び銀のうちの少なくとも１つから成ることを特徴とする請求項３４記載のクリーニング用洗剤を使用する洗濯機。
【請求項３９】
前記マイナス電子を有する岩石が黒曜石，真珠岩及び松脂岩のうちの少なくとも１つから成ることを特徴とする請求項３４記載のクリーニング用洗剤を使用する洗濯機。
【請求項４０】
水を最初にイオン交換樹脂を通過させ、次にマイナス電子を有する岩石に通過させて、その後トルマリンと水に溶けて人体に悪影響を及ぼすことがない金属とを混在させたものとに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項４１】
前記吐出管の出口付近にノズルを備え、前記ノズルからの流体を前記網に噴射させることを特徴とする請求項４０記載のクリーニング用洗剤を使用する洗濯機。
【請求項４２】
前記吸入管の開口部を吐出管の開口部より上方に配置した場合において、前記吸入管における開口部より下方の位置に管の内外に通じる穴を設けたことを特徴とする請求項４０記載のクリーニング用洗剤を使用する洗濯機。
【請求項４３】
前記ドライクリーニング溶剤の重量１００に対し前記ひまし油の重量７以上としたことを特徴とする請求項４０記載のクリーニング用洗剤を使用する洗濯機。
【請求項４４】
前記金属がアルミニウム，ステンレス及び銀のうちの少なくとも１つから成ることを特徴とする請求項４０記載のクリーニング用洗剤を使用する洗濯機。
【請求項４５】
前記マイナス電子を有する岩石が黒曜石，真珠岩及び松脂岩のうちの少なくとも１つから成ることを特徴とする請求項４０記載のクリーニング用洗剤を使用する洗濯機。
【請求項４６】
最初にイオン交換樹脂を通過させ、次にマイナス電子を有する岩石に通過させて成る第４特殊水と、ドライクリーニング溶剤と、ひまし油とを混合して成るものであって、前記特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連絡するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項４７】
前記吐出管の出口付近にノズルを備え、前記ノズルからの流体を前記網に噴射させることを特徴とする請求項４６記載のクリーニング用洗剤を使用する洗濯機。
【請求項４８】
前記吸入管の開口部を吐出管の開口部より上方に配置した場合において、前記吸入管における開口部より下方の位置に管の内外に通じる穴を設けたことを特徴とする請求項４６記載のクリーニング用洗剤を使用する洗濯機。
【請求項４９】
前記ドライクリーニング溶剤の重量１００に対し前記ひまし油の重量７以上としたことを特徴とする請求項４６記載のクリーニング用洗剤を使用する洗濯機。
【請求項５０】
前記金属がアルミニウム，ステンレス及び銀のうちの少なくとも１つから成ることを特徴とする請求項４６記載のクリーニング用洗剤を使用する洗濯機。
【請求項５１】
前記マイナス電子を有する岩石が黒曜石，真珠岩及び松脂岩のうちの少なくとも１つから成ることを特徴とする請求項４６記載のクリーニング用洗剤を使用する洗濯機。
【発明の詳細な説明】
【技術分野】
【０００１】
本発明は、油溶性汚れと水溶性汚れの両方の汚れを落とすためのクリーニング用洗剤と、そのクリーニング用洗剤を使用する洗濯機に関する。
【背景技術】
【０００２】
従来から一般に、ドライクリーニング用の洗剤としては、有機溶剤であるドライクリーニング溶剤を使用している。このドライクリーニング溶剤には、石油系溶剤（可燃性）や塩素系溶剤（不燃性）やアルコール等があり、一般には石油系溶剤（可燃性）が使用されている。ドライクリーニング溶剤は、汚れの溶解力が大きく、衣類の素材に悪影響を及ぼさず、クリーニング後の乾燥が容易であるという利点を有している。
【０００３】
しかし、石油系溶剤であるドライクリーニング溶剤のみを使用して洗濯した場合に、衣類にダイオキシンが付着したり、衣類にドライクリーニング溶剤の臭いが残ったりするという不具合があった。また、ドライクリーニング溶剤のみを使用して洗濯すると、油溶性の汚れが落ちるが、水溶性の汚れが良く落ちないという不具合があった。
【０００４】
ドライクリーニング溶剤を主に使用し、水溶性の汚れを落とすための技術が、特許文献１や特許文献２に提案されている。これらの特許文献では、ドライクリーニング溶剤と水とに界面活性剤を加えて混合することで、ドライクリーニング溶剤と水とを乳化させ、ドライクリーニング溶剤で油溶性の汚れを落とし、水で水溶性の汚れを落としている。水と油の乳化には、油の中に水が分散するＷ／Ｏ型エマルジョンと、水の中に油が分散するＯ／Ｗ型エマルジョンとの２種類に分けられるが、特許文献１や特許文献２におけるドライクリーニング溶剤と水との乳化は、油の中に水が分散するＷ／Ｏ型エマルジョンである。
【０００５】
【特許文献１】特開２００１−１８１６８７
【特許文献１】特開平８−２８４０６２
【発明の開示】
【発明が解決しようとする課題】
【０００６】
Ｗ／Ｏ型エマルジョンの洗剤を使用してクリーニングを行うと、油溶性の汚れと水溶性の汚れの両方の汚れを落とすことができる。しかし、衣類の色落ちがしたり、衣類が縮んだりする不具合が発生する。また、Ｗ／Ｏ型エマルジョンの乳化では、短期間で乳化状態が分離し、洗剤として長期保存することができないという不具合があった。ドライクリーニング溶剤の重量比が大きい場合には、ダイオキシンを含み、溶剤の臭いが依然として解消できないという不具合もあった。更に、ドライクリーニング溶剤が可燃性のある石油系溶剤のみの場合には、着火点が４０℃程度の低さであり、保管温度を低く保たなければならなかった。
【０００７】
更に、環境保護の観点から、洗浄後の洗剤は、エマルジョンを破壊して水をドライクリーニング溶剤や界面活性剤から分離して、廃棄しなければならない。この分離方法には、重力による自然分離方法や、遠心分離方法や、加熱による分離方法や、電圧をかけて分離する方法等があるが、どの方法も時間がかかったり、費用がかかったりする欠点があった。
【０００８】
本発明はこの点に鑑みてなされたもので、油溶性汚れと水溶性汚れの両方の汚れを落とすことができ、ドライクリーニング溶剤と特殊水との乳化状態を長期にわたって保持することができ、かつドライクリーニング溶剤と水の分離を容易に行うことができるクリーニング用洗剤を提供することを目的とする。
【０００９】
本発明は更に、クリーニング用洗剤をドライクリーニング装置内で数十回から数百回循環使用する場合に、ドライクリーニング溶剤と特殊水との乳化状態を保つことを可能にするクリーニング用洗剤を使用した洗濯機を提供することを目的とする。
【課題を解決するための手段】
【００１０】
本発明に係るクリーニング用洗剤水は、水を最初にイオン交換樹脂を通過させ、次にトルマリンと水に溶けて人体に悪影響を及ぼすことがない金属とを混在させたものとに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記金属がアルミニウム，ステンレス及び銀のうちの少なくとも１つから成ることを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【００１１】
本発明に係るクリーニング用洗剤水は、水を最初にイオン交換樹脂を通過させ、次にトルマリンと水に溶けて人体に悪影響を及ぼすことがない金属とを混在させたものとに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記金属がアルミニウム，ステンレス及び銀のうちの少なくとも１つから成ることを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。
【００１２】
本発明に係るクリーニング用洗剤水は、水を最初にイオン交換樹脂を通過させ、次にマイナス電子を有する岩石に通過させて、その後トルマリンと水に溶けて人体に悪影響を及ぼすことがない金属とを混在させたものとに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記金属がアルミニウム，ステンレス及び銀のうちの少なくとも１つから成ることを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【００１３】
本発明に係るクリーニング用洗剤水は、最初にイオン交換樹脂を通過させ、次にマイナス電子を有する岩石に通過させて成る水（特殊水）と、ドライクリーニング溶剤と、ひまし油とを混合して成るものであって、前記特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【００１４】
本発明のクリーニング用洗剤を使用する洗濯機は、水を最初にイオン交換樹脂を通過させ、次にトルマリンと水に溶けて人体に悪影響を及ぼすことがない金属とを混在させたものとに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするものである。本発明は、前記吐出管の出口付近にノズルを備え、前記ノズルからの流体を前記網に噴射させることを特徴とするものである。本発明は、前記吸入管の開口部を吐出管の開口部より上方に配置した場合において、前記吸入管における開口部より下方の位置に管の内外に通じる穴を設けたことを特徴とするものである。本発明は、前記ドライクリーニング溶剤の重量１００に対し前記ひまし油の重量７以上としたことを特徴とするものである。本発明は、前記金属がアルミニウム，ステンレス及び銀のうちの少なくとも１つから成ることを特徴とするものである。本発明は、前記マイナス電子を有する岩石が黒曜石，真珠岩及び松脂岩のうちの少なくとも１つから成ることを特徴とするものである。
【００１５】
本発明の洗濯機は、使用するクリーニング用洗剤を、前述の第１特殊水に代えて、前述の第２特殊水か、前述の第３特殊水か、前述の第４特殊水かのいずれかを使用しても良いものである。
【発明の効果】
【００１６】
本発明のクリーニング用洗剤では、ドライクリーニング溶剤と混合するための水（特殊水）は、界面活性作用を有するヒドロキシルイオン（Ｈ3 Ｏ2-）を含んでいる。このため、界面活性剤を使用しなくても特殊水とドライクリーニング溶剤とを混合するだけで乳化し、水溶性汚れを落とすことができる。更に、特殊水とドライクリーニング溶剤とを乳化したものは、水の中に油が分散するＯ／Ｗ型エマルジョンであるので、洗濯後の衣類の色落ちや縮みを防止することができる。また、Ｏ／Ｗ型エマルジョンであるので、洗濯後の衣類にドライクリーニング溶剤の臭いがせず、更に衣類にダイオキシンが付着しない。本発明のクリーニング用洗剤は、Ｏ／Ｗ型エマルジョンであるので、使用後に水道水等の水を加えることによって、特殊水とドライクリーニング溶剤とを簡単に分離することができ、経済的でありかつ環境汚染を避けることができる。
【００１７】
特殊水とドライクリーニング溶剤とにひまし油を混合することで長期間安定した乳化状態を保つことができる。更に、ドライクリーニング溶剤のみのものと比べて汚れをより落とすことができる。このため、本発明のクリーニング用洗剤は、長期間安定した品質を有する商品として販売して、倉庫等に長期間保存しておくことが可能となり、流通過程で販売が可能な商品となる。その上、本発明のクリーニング用洗剤はＯ／Ｗ型エマルジョンであるので、発火点は非常に高いため保管の際に発火の危険性が無い。
【００１８】
本発明のクリーニング用洗剤は、洗濯機の内部においてドライクリーニング溶剤と乳化物と特殊水とに分離した状態で貯溜される。本発明に係る洗濯機は、ドライクリーニング溶剤を特殊水内に備えた網に噴射するか、特殊水をドライクリーニング溶剤内に備えた網に噴射するかすることで、特殊水とドライクリーニング溶剤とを網によって混合乳化させることができ、クリーニング用洗剤を入れ換えることなく再生循環して使用することができる。
【発明を実施するための最良の形態】
【００１９】
次に、本発明のクリーニング用洗剤水について説明する。本発明のクリーニング用洗剤は、後述する特殊な水（以下「特殊水」とする）と、ドライクリーニング溶剤と、ひまし油とを混合して成るものである。特に、特殊水とドライクリーニング溶剤との重量比を、特殊水：ドライクリーニング溶剤＝４０：６０〜６０：４０とし、ドライクリーニング溶剤の重量１００に対して、ひまし油の重量を３以上とするものである。
【００２０】
ここで、「特殊水」について説明する。「特殊水」には、４種類のものがあり、その４種類のものを「第１特殊水」、「第２特殊水」、「第３特殊水」、「第４特殊水」とし、以下、「第１特殊水」から「第４特殊水」までの製造方法について説明する。
【００２１】
先ず、第１特殊水の製造方法を図１に基づいて説明する。図１に示すように、第１の軟水生成器１０と第２の軟水生成器１２とイオン生成器１４と岩石収納器１６とを、連絡管１８ａ，１８ｂ，１８ｃを介して、順に直列に連結する。第１の軟水生成器１０に、例えば水道のような圧力のある水が水供給管２０から連絡管２２を介して供給される。水供給管２０と連絡管２２との間には、蛇口のような入口用開閉弁２４が備えられ、連絡管２２の途中には逆止弁２６が備えられる。岩石収納器１６の出口側には吐出管２８が取り付けられ、吐出管２８の先端または途中に出口用開閉弁３０が備えられる。水道水の場合、水供給管２０から送り出される水は、第１の軟水生成器１０と第２の軟水生成器１２とイオン生成器１４と岩石収納器１６の順を経て、出口用開閉弁３０を開くことによって吐出管２８から取り出される。水道水以外の場合は、図示しないが、水槽に溜めた水をポンプによって、水供給管２０を経由して第１の軟水生成器１０に導入する。
【００２２】
第１の軟水生成器１０と第２の軟水生成器１２は、その内部に粒状のイオン交換樹脂３２を細かい網（図示せず）に入れた状態で大量に収納する。イオン交換樹脂３２を網に入れるのは、粒状のイオン交換樹脂３２を洗浄するために取り出す際に、網ごと粒状のイオン交換樹脂３２を取り出せるようにしたものである。第１の軟水生成器１０と第２の軟水生成器１２は、その高さを例えば８０ｃｍとし、内径を１０ｃｍとする。この際、イオン交換樹脂３２の収納高さは、少なくともイオン交換が充分行なえるような高さとする。一方、イオン交換樹脂３２の収納高さが高くなりすぎると（例えばイオン交換樹脂３２の収納高さが約２００ｃｍ以上になると）、イオン交換樹脂３２が水の抵抗となって軟水生成器の内部を通過する流量が減少するため、イオン交換樹脂３２の収納高さを適正な高さに設定する。イオン交換樹脂３２を収納する容器を２つに分けたのは、第１の軟水生成器１０や第２の軟水生成器１２の高さを、イオン生成器１４や岩石収納器１６と同じ程度の高さに低く押えるためと、そこを通過する水の圧損失によって流量が減少することを避けるためである。なお、２つの軟水生成器１０，１２を１つにまとめて、１つの軟水生成器にすることも可能である。
【００２３】
イオン交換樹脂３２は、水道水や井戸水に含まれているＣａ2+やＭｇ2+やＦｅ2+等の金属イオンを除去して、水を軟水にするためのものである。イオン交換樹脂３２としては、例えば、スチレン・ジビニルベンゼンの球状の共重合体を均一にスルホン化した強酸性カチオン交換樹脂（ＲｚＳＯ3 Ｎａ）を用いる。このイオン交換樹脂３２は、水に含まれているＣａ2+やＭｇ2+やＦｅ2+等の金属イオンとは、以下のイオン交換反応を生じる。
２ＲｚＳＯ3Ｎａ  ＋  Ｃａ2+  →  （ＲｚＳＯ3）2Ｃａ  ＋  ２Ｎａ+
２ＲｚＳＯ3Ｎａ  ＋  Ｍｇ2+  →  （ＲｚＳＯ3）2Ｍｇ  ＋  ２Ｎａ+
２ＲｚＳＯ3Ｎａ  ＋  Ｆｅ2+  →  （ＲｚＳＯ3）2Ｆｅ  ＋  ２Ｎａ+
即ち、イオン交換樹脂３２を通すことによって、水に含まれているＣａ2+やＭｇ2+やＦｅ2+等を除去する。イオン交換樹脂３２として強酸性カチオン交換樹脂（ＲｚＳＯ3Ｎａ）を用いることによって、ナトリウムイオン（Ｎａ+）が発生する。イオン交換樹脂３２は、Ｎａ+以外のものが発生するものであっても構わないが、Ｎａ+を発生するものの方が抗菌作用並びに殺菌作用を有する点から好ましい。水道水や井戸水にＣａ2+やＭｇ2+やＦｅ2+等の金属が含まれて硬水となっている場合には、洗濯の際に通常の水と比べて大量の洗剤を必要とし、その大量の洗剤の使用による環境に悪影響を及ぼすおそれがある。このため、イオン交換樹脂３２によって、水に含まれているＣａ2+やＭｇ2+やＦｅ2+等の金属イオンを除去する必要がある。
【００２４】
水（Ｈ2Ｏ）がイオン交換樹脂３２を通ることによって、水は以下のように変化する。
Ｈ2Ｏ  →  Ｈ+  ＋  ＯＨ-    ……(1) 
Ｈ2Ｏ  ＋  Ｈ+  →  Ｈ3Ｏ+  ……(2) 
即ち、(1)(2)に示すように、イオン交換樹脂３２を通ることによって、水からは水酸化イオン（ＯＨ-）とヒドロニウムイオン（Ｈ3Ｏ+）とが発生する。このヒドロニウムイオン（Ｈ3Ｏ+）によって、水は界面活性作用を有する。
【００２５】
もし、水が硬水であった場合に、イオン交換樹脂３２を通過することによって、水からＣａ2+やＭｇ2+やＦｅ2+等の金属イオンが除去されて軟水となる。また、イオン交換樹脂３２を通過することによって、水の中にＮａ+とＯＨ-とヒドロニウムイオン（Ｈ3Ｏ+）とが発生する。しかし、水道水に含まれている塩素（Ｃｌ）はイオン化しないでそのまま通過する。なお、イオン交換樹脂３２の種類によっては、Ｎａ+が発生しないこともある。
【００２６】
次に、前記イオン生成器１４の部分断面図を図２に示す。イオン生成器１４は、複数個のカートリッジ４４を同じ配置で上下に連続して直列に連結したものである。各カートリッジ４４の内部に、粒状のトルマリン４６と板状の金属４８とを収納する。トルマリンは、プラスの電極とマイナスの電極とを有するもので、このプラスの電極とマイナスの電極によって、水に４〜１４ミクロンの波長の電磁波を持たせ、かつ水のクラスターを切断して界面活性作用を有するヒドロニウムイオン（Ｈ3Ｏ+）を発生させるためのものである。その４〜１４ミクロンの波長の電磁波が持つエネルギは０．００４ｗａｔｔ／ｃｍ2である。ここで、トルマリン４６とは、トルマリン石を細かく砕いたものであっても良いが、トルマリンとセラミックと酸化アルミニウム（銀を含むものもある）との重量比を約１０：８０：１０とする市販のトルマリンペレットと呼ばれるトルマリン混合体であっても良い。このトルマリンペレットに含まれるセラミックは、プラスの電極とマイナスの電極を分離しておく作用をする。ここで、トルマリン４６は、トルマリンをセラミックに対し重量比１０％以上の割合で混合させて８００°Ｃ以上で加熱するものとし、水の攪拌によって所定の期間（例えば直径４mmで約３ヶ月）で消滅するものとしても良い。
【００２７】
前記金属４８としては、アルミニウム、ステンレス、銀の少なくとも１種類の金属を用いる。この金属４８としては、水中で錆を発生させたり水に溶けたりしない金属が望ましく、更に人体に悪影響を及ぼさないものが望ましい。この金属４８のうち、アルミニウムは殺菌作用や抗菌作用や漂白作用を有しており、ステンレスは殺菌作用や抗菌作用と共に洗浄向上作用を有しており、銀は殺菌作用や抗菌作用を有している。アルミニウムが漂白作用を有しており、ステンレスは洗浄向上作用を有しているが、銀はアルミニウムやステンレスよりも殺菌作用や抗菌作用が強いので、例えば、漂白作用が必要で、しかも殺菌作用や抗菌作用を強くしたい場合には、アルミニウムに銀を混ぜれば良い。金属４８としては、銅や鉛は毒性を有しているので採用することができない。また、金等の高価な素材はコスト上からも採用することができない。前記トルマリン４６と金属４８との重量比は、１０：１〜１：１０程度が望ましい。
【００２８】
カートリッジ４４は一端を開放した筒状をしており、その底面５０に多数の穴５２が設けられている。カートリッジ４４の内部にトルマリン混合体４６と金属４８とを入れた場合に、底面５０の穴５２をトルマリン４６や金属４８が通過しないように穴５２の大きさを設定する。図２に示すように、各カートリッジ４４は多数の穴５２を設けた底面５０を下側にし、その底面５０の上にトルマリン４６や金属４８を載せる。そして、各カートリッジ４４の内部を下位から上位に向かって流れるように設定する。即ち、各カートリッジ４４においては、底面５０の多数の穴５２を通過した水が、下から上に向けてトルマリン４６と金属４８とに噴射するようにする。
【００２９】
水道水は高い水圧を有するので、その水圧を有する水がカートリッジ４４内のトルマリン４６と金属４８に勢いよく衝突し、その水の勢いでトルマリン４６と金属４８とがカートリッジ４４内で攪拌されるように、穴５２の大きさ並びに個数を設定する。水が通過する勢いを用いてトルマリン４６と金属４８をカートリッジ４４内で攪拌する方法としては、種々の手段が考えられるが、どのような従来既知の撹拌手段を用いても構わない。水をトルマリンに噴射してトルマリンを攪拌するのは、その攪拌によってトルマリンと水とに摩擦が生じ、電極が水に溶け出して水のクラスターを切断し、ヒドロニウムイオン（Ｈ3Ｏ+）を大量に発生させるためである。このように、水道水のような圧力のある水を穴５２を通して下からトルマリン等に噴射することによって、攪拌手段を設けなくて済む。
【００３０】
実際の設置例としては、内径５ｃｍで深さが７ｃｍの収容容積を有するカートリッジ４４を４段に重ね、そのカートリッジ４４内にトルマリン４６と金属４８とを充分収納するが、トルマリン４６と金属４８とがカートリッジ４４内で自由に移動できるような分量とする。カートリッジ４４の段数を増減しても構わないし、収容容積を大きくした１個のカートリッジ４４にしても良い。このように、トルマリン４６と金属４８を収容容積を小さくした複数のカートリッジ４４に分散させて、それらの複数のカートリッジ４４を接続させることで、水の勢いによってトルマリン４６と金属４８との撹拌効率を高めることができる。
【００３１】
トルマリン４６にはプラス電極とマイナス電極とがあるため、トルマリンが水で攪拌されると、水（Ｈ2Ｏ）は水素イオン（Ｈ+）と水酸化イオン（ＯＨ-）とに解離する。
Ｈ2Ｏ  →  Ｈ+  ＋  ＯＨ-    ……(1)
更に、水素イオン（Ｈ+）と水（Ｈ2Ｏ）とによって、界面活性作用を有するヒドロニウムイオン（Ｈ3Ｏ+）が発生する。このヒドロニウムイオン（Ｈ3Ｏ+）の発生量は、前記イオン交換樹脂３２によって発生する量よりはるかに多い量である。
Ｈ2Ｏ  ＋  Ｈ+  →  Ｈ3Ｏ+    ……(2)
このヒドロニウムイオン（Ｈ3Ｏ+）の一部は、水（Ｈ2Ｏ）と結びついてヒドロキシルイオン（Ｈ3Ｏ2-）と水素イオン（Ｈ+）になる。
Ｈ3Ｏ+  ＋  Ｈ2Ｏ  →  Ｈ3Ｏ2-  ＋  ２Ｈ+    ……(3)
このヒドロキシルイオン（Ｈ3Ｏ2-）は、ヒドロニウムイオン（Ｈ3Ｏ+）と同様に界面活性作用を有し、衣類等を洗浄する働きをする。このヒドロキシルイオン（Ｈ3Ｏ2-）は特に、ドライクリーニング溶剤と第１特殊水とを混合乳化させ、Ｏ／Ｗ型エマルジョンとなる。
【００３２】
イオン交換樹脂３２を通過した水を、イオン生成器１４を通過させることによって、水の内部にヒドロニウムイオン（Ｈ3Ｏ+）とヒドロキシルイオン（Ｈ3Ｏ2-）とＨ+とＯＨ-とが発生する。なお、イオン交換樹脂３２を通過した塩素（Ｃｌ）と、イオン交換樹脂３２で発生したＮａ+とは、反応することなくそのままイオン生成器１４を通過する。
【００３３】
イオン生成器１４を通過した水を、次に、マイナス電子を帯びている岩石５４を収納する岩石収納器１６の内部を通過させる。マイナス電子を帯びている岩石５４としては、現在知られているものとして黒曜石や真珠岩や松脂岩がある。黒曜石や真珠岩や松脂岩以外でも、マイナス電子を帯びている岩石であれば採用することができる。これら黒曜石や真珠岩や松脂岩は、原石の状態で−２０〜−２４０mmＶの酸化還元電位を有する。これらの黒曜石や真珠岩や松脂岩等を加工してパーライト（黒曜石等を砕いて８００°Ｃ以上に熱したもの）にした時、−１００〜−３００mmＶに酸化還元電位が上昇することが分かった。従って、マイナス電子を帯びている岩石５４としては、黒曜石や真珠岩や松脂岩の原石でもよいが、それらのパーライトの方が望ましい。但し、岩石５４は、水に溶けて衣類に付着して人体に害になるものを除く。岩石収納器１６は例えば内径を１０ｃｍとし、高さを８０ｃｍの筒とし、その内部に例えば５ｍｍ〜５０ｍｍ粒程度の大きさのマイナス電子を帯びている岩石５４を、水の通過流量を落とさない程度の量を収容する。
【００３４】
この岩石収納器１６の内部に、イオン生成器１４を通過した水を通過させると、水にｅ-（マイナス電子）が加えられる。この結果、水道水に含まれている塩素（Ｃｌ）はマイナス電子によって、塩素イオンとなる。
Ｃｌ  ＋  ｅ-  →  Ｃｌ-      ……(4) 
このＣｌ-と前記Ｎａ+とはイオンとして安定した状態になる。安定した状態とは、蒸発することなくイオン状態が長期間保たれることを意味する。また、前記ヒドロキシルイオン（Ｈ3Ｏ2-）もイオンとして安定した状態になる。
水が岩石５４を通過することによって、イオン生成器１４を通過した水と比べて、ヒドロニウムイオン（Ｈ3Ｏ+）が更に発生し、かつヒドロキシルイオン（Ｈ3Ｏ2-）も更に発生する。
Ｈ2Ｏ  ＋  Ｈ+  →  Ｈ3Ｏ+    ……(2)
Ｈ3Ｏ+  ＋  Ｈ2Ｏ  →  Ｈ3Ｏ2-  ＋  ２Ｈ+    ……(3)
水が岩石５４を通過することによって、その他に、以下の反応も発生する。
ＯＨ-  ＋  Ｈ+  →  Ｈ2Ｏ    ……(5)
２Ｈ+  ＋  ２ｅ-  →  ２Ｈ2  ……(6)
水が岩石収納器１６を通過すると、岩石５４のマイナス電子によって、水の酸化還元電位が＋３４０mmｖから−２０〜−２４０mmＶになる。水に代えてお湯を使うと、マイナスの酸化還元電位がより安定する。
【００３５】
以上のように、水を先ずイオン交換樹脂３２に通過させ、次にトルマリン４６と金属４８とに通過させ、最後に岩石５４を通過させた水（この水が“第１特殊水”である）には、Ｎａ+と、Ｃｌ-と、Ｈ+と、ＯＨ-と、ヒドロニウムイオン（Ｈ3Ｏ+）と、ヒドロキシルイオン（Ｈ3Ｏ2-）とが存在する。このヒドロキシルイオン（Ｈ3Ｏ2-）は、ドライクリーニング溶剤と第１特殊水とを乳化させる働きをする。また、この第１特殊水は、そのエネルギは０．００４ｗａｔｔ／ｃｍ2である４〜１４ミクロンの波長の電磁波を有し、−２０〜−２４０mmＶの酸化還元電位を有する。
【００３６】
この第１特殊水の水質検査結果を、以下に示す。この特殊水と比較する水道水の値をカッコ内に示す。塩素イオン：６．８mg/l（９．０mg/l）、鉄：０．０５mg/l未満（０．０８mg/l未満）、亜鉛：０．００５mg/l未満（０．０５４mg/l未満）、カルシウム・マグネシウム等（硬度）：１．２mg/l（４９．０mg/l）、濁度：０度（１度）
【００３７】
この第１特殊水は、以下に列挙する多くの効果を発揮する。
(a) 界面活性作用がある。
第１特殊水は、界面活性作用を有するヒドロニウムイオン（Ｈ3Ｏ+）並びにヒドロキシルイオン（Ｈ3Ｏ2-）を含む。ヒドロキシルイオン（Ｈ3Ｏ2-）は、第１特殊水とドライクリーニング溶剤とを乳化させる働きがあり、水に油が分散するＯ／Ｗ型エマルジョンとなる。
(b) 微弱エネルギ（育成光線）作用がある。
トルマリンは微弱エネルギ（４〜１４ミクロンの波長の電磁波）を放出する。この微弱エネルギは水の大きいクラスタを切断して、クラスタ内に抱えこまれていた有毒ガスや重金属類を水から外部に放出する。即ち、水に微弱エネルギ（４〜１４ミクロンの波長の電磁波）を与えることによって、有毒ガスは空中へ逃げ、重金属類は下へ沈殿してしまう。この結果、第１特殊水には有毒物が存在しない。
(c) 抗菌作用並びに殺菌作用がある。
金属４８としてのアルミニウム、ステンレス、銀のいずれにも、抗菌作用並びに殺菌作用がある。また、イオン交換樹脂３２によってＮａ+を発生させる場合には、Ｎａ+も抗菌作用並びに殺菌作用がある。この結果、第１特殊水で洗濯した衣類には、衣類の害虫が付きにくくなる。
(d) 漂白作用がある。
アルミニウムには漂白作用があり、金属４８にアルミニウムの混合量を多くすれば、洗濯の際に漂白効果がある。
【００３８】
次に、第２特殊水について説明する。図１に示した第１特殊水は、イオン交換樹脂と、トルマリンと水に溶けて人体に悪影響を及ぼすことがない金属と、マイナス電子を有する岩石との順に水を通過させて作るものであるのに対し、第２特殊水は、イオン交換樹脂と、トルマリンと水に溶けて人体に悪影響を及ぼすことがない金属との順に通過させた水とするものである。即ち、第２特殊水は、第１特殊水では通過させた「マイナス電子を有する岩石」を通過させないものである。
【００３９】
第２特殊水は、その内部にヒドロニウムイオン（Ｈ3Ｏ+）とヒドロキシルイオン（Ｈ3Ｏ2-）とＨ+とＯＨ-とを含むものである。この第２特殊水にも、ヒドロニウムイオン（Ｈ3Ｏ+）並びにヒドロキシルイオン（Ｈ3Ｏ2-）を含むことから、(a)界面活性作用（Ｏ／Ｗ型エマルジョン乳化作用）を有する。更に、この第２特殊水は、(b)
微弱エネルギ（育成光線）作用や、(c) 抗菌作用並びに殺菌作用や、(d) 漂白作用を有する。この第２特殊水もヒドロキシルイオン（Ｈ3Ｏ2-）を含むことから、第２特殊水を使用することで、ドライクリーニング溶剤と第２特殊水とを乳化させることができる。
【００４０】
次に、第３特殊水について説明する。第１特殊水では、水をイオン交換樹脂３２，トルマリン４６及び金属４８，岩石５４の順に通過を通過させたが、第３特殊水は、図３に示すように、水をイオン交換樹脂３２，岩石５４，トルマリン４６及び金属４８の順に通過させたものである。
【００４１】
この第３特殊水を作る場合には、イオン交換樹脂３２を通過した水は、次に岩石５４を通過する。この岩石５４によって、水の内部にｅ-（マイナス電子）が発生する。この結果、水道水に含まれている塩素はマイナス電子によって、塩素イオンとなる。
Ｃｌ  ＋  ｅ-  →  Ｃｌ-      ……(4)
このＣｌ-とイオン交換樹脂３２によって発生したＮａ+とはイオンとして安定した状態になる。なお、イオン交換樹脂３２を通過した水であっても、Ｎａ+を含まない場合もある。
イオン交換樹脂３２を通過した水には、前記(1) (2) に示すように、Ｈ+とＯＨ-とヒドロニウムイオン（Ｈ3Ｏ+）とが存在する。イオン交換樹脂３２を通過した水が、その後、岩石５４を通過することによって、以下の反応も発生する。
ＯＨ-  ＋  Ｈ+  →  Ｈ2Ｏ    ……(5)
Ｈ2Ｏ  ＋  Ｈ+  →  Ｈ3Ｏ+    ……(2)
２Ｈ+  ＋  ２ｅ-  →  ２Ｈ2  ……(6)
この反応においては、ヒドロニウムイオン（Ｈ3Ｏ+）が、イオン交換樹脂３２によって発生する量よりも更に多くの量が発生する。
以上のように、イオン交換樹脂３２の後に岩石５４を通過することによって、水の中に従来から存在したＮａ+とＯＨ-と、新たに発生するＣｌ-とヒドロニウムイオン（Ｈ3Ｏ+）とが存在することになる。また、岩石５４を通過させた水は、酸化還元電位が−２０〜−２４０mmＶになる。水に代えてお湯を使うと、マイナスの酸化還元電位が更に安定する。
【００４２】
この岩石５４を通過した水を、次にトルマリン４６と金属４８を内蔵するイオン生成器１４の内部を通過させる。これによって、以下の反応が生じる。
Ｈ2Ｏ  →  Ｈ+  ＋  ＯＨ-    ……(1)
Ｈ2Ｏ  ＋  Ｈ+  →  Ｈ3Ｏ+    ……(2)
このヒドロニウムイオン（Ｈ3Ｏ+）は大量に発生する。またヒドロニウムイオン（Ｈ3Ｏ+）の一部はヒドロキシルイオン（Ｈ3Ｏ2-）になる。
Ｈ3Ｏ+  ＋  Ｈ2Ｏ  →  Ｈ3Ｏ2-  ＋  ２Ｈ+    ……(3)
この結果、トルマリン４６と金属４８を通過させた水には、従来存在したＮａ+と、Ｃｌ-と、ＯＨ-と、ヒドロニウムイオン（Ｈ3Ｏ+）と、ヒドロキシルイオン（Ｈ3Ｏ2-）とＨ+とが存在する。
【００４３】
即ち、第３特殊水は、第１特殊水と同様、Ｎａ+と、Ｃｌ-と、ＯＨ-と、ヒドロニウムイオン（Ｈ3Ｏ+）と、ヒドロキシルイオン（Ｈ3Ｏ2-）とＨ+とを含む。更に、０．００４ｗａｔｔ／ｃｍ2のエネルギを有する４〜１４ミクロンの電磁波と、−２０〜−２４０mmＶの酸化還元電位を有する。このように、第３特殊水の内部にも、ヒドロニウムイオン（Ｈ3Ｏ+）とヒドロキシルイオン（Ｈ3Ｏ2-）とＨ+とＯＨ-とを含むことから、(a)界面活性作用（Ｏ／Ｗ型エマルジョン乳化作用）を有する。更に、この第３特殊水は、第１特殊水と同様に、(b)微弱エネルギ（育成光線）作用や、(c)抗菌作用並びに殺菌作用や、(d)漂白作用を有する。この第３特殊水もヒドロキシルイオン（Ｈ3Ｏ2-）を含むことから、第３特殊水を使用することで、ドライクリーニング溶剤と第３特殊水とを乳化させることができる。
【００４４】
次に、第４特殊水について説明する。図３に示した第３特殊水は、イオン交換樹脂と、マイナス電子を有する岩石と、トルマリンと水に溶けて人体に悪影響を及ぼすことがない金属との順に水を通過させて作るものであるのに対し、第４特殊水は、イオン交換樹脂と、マイナス電子を有する岩石との順に通過させた水とするものである。即ち、第４特殊水は、第３特殊水で通過させた「トルマリンと水に溶けて人体に悪影響を及ぼすことがない金属」を通過させないものである。
【００４５】
第４特殊水は、水を先ずイオン交換樹脂３２を通過させ、次にマイナス電子を有する岩石を通過させたものであり、
イオン交換樹脂３２を通過した水が、その後、岩石５４を通過することによって、以下の反応も発生する。
ＯＨ-  ＋  Ｈ+  →  Ｈ2Ｏ    ……(5)
Ｈ2Ｏ  ＋  Ｈ+  →  Ｈ3Ｏ+    ……(2)
２Ｈ+  ＋  ２ｅ-  →  ２Ｈ2  ……(6)
Ｈ3Ｏ+  ＋  Ｈ2Ｏ  →  Ｈ3Ｏ2-  ＋  ２Ｈ+    ……(3)
その内部にＮａ+とＯＨ-とＣｌ-とヒドロニウムイオン（Ｈ3Ｏ+）とヒドロキシルイオン（Ｈ3Ｏ2-）を含むものである。この第４特殊水もヒドロキシルイオン（Ｈ3Ｏ2-）を含むことから、第４特殊水を使用することで、ドライクリーニング溶剤と第４特殊水とを乳化させることができる。
【００４６】
本発明で使用するドライクリーニング溶剤は、石油系溶剤（可燃性）や塩素系溶剤（不燃性）等の各種の公知のどれを使用しても良い。
【００４７】
本発明では、特殊水が界面活性作用を有するので、特殊水とドライクリーニング溶剤とを混合することによって特殊水とドライクリーニング溶剤とが乳化する。しかし、特殊水とドライクリーニング溶剤とが完全に乳化しなかったり、乳化しても乳化期間が短く、分離し易かったりするものである。そこで、特殊水とドライクリーニング溶剤にひまし油を混合することによって、特殊水とドライクリーニング溶剤とを完全にかつ長期間安定して乳化状態を保つことができる。
【００４８】
特殊水とドライクリーニング溶剤との重量比を、特殊水：ドライクリーニング溶剤＝４０：６０〜６０：４０とする。特殊水が４０％以下だと、乳化しなくなる。但し、ひまし油を大量に入れると乳化するが、ひまし油が高価なため、経済効率を考えると特殊水を４０％以上にするのが好ましい。特殊水が６０％以上になると、乳化はするが、ドライクリーニング溶剤が少ないため、洗濯をした結果、油溶性の汚れが落ちにくくなったり、衣類に色落ちや縮みがでたりするおそれがある。
【００４９】
ドライクリーニング溶剤の重量１００に対して、ひまし油の重量３以上とする。ひまし油を入れることで、特殊水とドライクリーニング溶剤との乳化が安定する。ドライクリーニング溶剤の重量１００に対して、ひまし油の重量３以上を混合することで、特殊水とドライクリーニング溶剤との乳化が安定する。特に、ドライクリーニング溶剤の重量１００に対して、ひまし油の重量７以上とすることで、特殊水とドライクリーニング溶剤との乳化がより安定すると共に、ドライクリーニング溶剤のみのものと比べて汚れを落とすことができる。このため、本発明のクリーニング用洗剤は、長期間安定した品質を有する商品として販売することが可能となる。
【００５０】
本発明のクリーニング用洗剤の使用後には、環境保護の観点から、クリーニング用洗剤を直接廃棄してはならない。このため、本発明のクリーニング用洗剤を、特殊水とドライクリーニング溶剤に分解する必要がある。特許文献１や特許文献２のように、水とドライクリーニング溶剤と界面活性剤とを混合したものでは、水とドライクリーニング溶剤や界面活性剤との分離に時間やお金がかかった。これに対して、本発明のクリーニング用洗剤はＯ／Ｗ型エマルジョンであるので、洗濯としての使用後に、例えば水道水を加えるだけで、水とドライクリーニング溶剤とが簡単に分離する。即ち、水とドライクリーニング溶剤とを簡単に分離することができ、経済的でありしかも環境汚染の原因を避けることができる。
【００５１】
一般に、洗濯終了後に洗濯物からドライクリーニング溶剤は除去され、除去されたドライクリーニング溶剤は洗濯機の下方に蓄積される。洗濯機の下方に蓄積されたドライクリーニング溶剤は、洗濯機の中で再利用され、何十回から何百回洗濯物を洗濯する。これと同様に、本発明のクリーニング用洗剤（特殊水とドライクリーニング溶剤とひまし油との混合物）も、洗濯機の中で何十回から何百回も再利用することが望まれる。しかし、特殊水とドライクリーニング溶剤とひまし油との混合物は、数回の洗濯によって三相に分離される。即ち、本発明のクリーニング用洗剤は、下方の特殊水（１０〜１５％）と、中間の乳化物（７０〜８０％）と、上方のドライクリーニング溶剤（１０〜１５％）との三相に分離される。本発明のクリーニング用洗剤を洗濯機の中で何十回から何百回か再利用するために、分離した特殊水とドライクリーニング溶剤とを洗濯機の内部で再度乳化状態にする必要がある。
【００５２】
次に、本発明のクリーニング用洗剤を乳化させる洗濯機を図４に示す。洗濯機６０はボディ６２を有し、そのボディ６２の内部に洗濯用ドラム６４を備える。ボディ６２の内部には、ポンプ６６と第一フィルタ６８と第二フィルタ７０と、ポンプ６６から第一フィルタ６８と第二フィルタ７０を経て洗濯用ドラム６４へ通じる戻し通路７２とを有する。一般には、第一フィルタ６８は臭い等を除去する活性炭フィルタであり、第二フィルタ７０はゴミを取るためのフィルタである。洗濯用ドラム６４とポンプ６６と第一フィルタ６８と第二フィルタ７０と戻し通路７２とは従来既知のドライクリーニング用洗濯機に備えられているものである。
【００５３】
本発明では、ボディ６２の内部に前記ポンプ６６とは別に加圧手段としてのポンプ７４を備える。ポンプ７４には吸入管７６と吐出管７８とを備える。本発明のクリーニング用洗剤を使用した場合に、クリーニング用洗剤はボディ６２の内部で、下方の特殊水領域８０と、中間の乳化物領域８２と、上方のドライクリーニング溶剤領域８４との３つの領域に分離される。ポンプ７４の吸入管７６の開口部は、ドライクリーニング溶剤領域８４の内部の上方に開口するように配置する。吸入管７６の開口部付近には、吸入管７６を通過するゴミを除去するためのフィルタ（図示せず）を備える。ポンプ７４の吐出管７８の開口部は、特殊水領域８０の内部に開口するように配置する。
【００５４】
吐出管７８の開口部付近を図５に示す。吐出管７８の開口端付近の内部にはノズル８６が備えられる。ノズル８４位置の下流側で吐出管７８の開口端位置の外側に、吐出管７８より径大の連絡管８８が取付けられる。この連絡管８８の外壁には、内外に通じる複数の穴９０が形成される。この連絡管８８の複数の穴９０は、特殊水領域８０の内部に配置される。連絡管８８の出口には目の細かい網９２を取付ける。具体的には、中央に穴９４を設けたキャップ９６を連絡管８８に螺合することで、網９２を連絡管８８に固定する。網９２は１００メッシュよりも目の細かいものを使用する。又、網を複数枚重ねるようにしても良い。
【００５５】
図４のポンプ７４を作動させると、ポンプ７４はドライクリーニング溶剤領域８４に存在するドライクリーニング溶剤を吸入管７６の開口部から取り入れて、そのドライクリーニング溶剤をノズル８６から連絡管８８を通って網９２に向けて噴射させる。この際、ノズル８６から噴射されるドライクリーニング溶剤の負圧によって、連絡管８８の穴９０から特殊水が連絡管８８の内部に導入され、ノズル８６から噴射されるドライクリーニング溶剤と穴９０から導入される特殊水とが混ざり合って、網９２に衝突する。この網９２によってドライクリーニング溶剤と特殊水とが更に混合され、結果としてドライクリーニング溶剤と特殊水とが乳化される。乳化されたものは、その後、乳化物領域８２に至る。このように、ドライクリーニング溶剤領域８４のドライクリーニング溶剤を特殊水と共に網９２に噴射することによって、分離したドライクリーニング溶剤と特殊水とを混合して、乳化させることができる。これによって、本発明のクリーニング用洗剤を、洗濯機の中で何十回から何百回か再利用することが可能になる。
【００５６】
なお、図４並びに図５においては、ポンプ７４によって上方のドライクリーニング溶剤領域８４内のドライクリーニング溶剤を下方の特殊水領域８０内の特殊水に向けて移動噴射させていたが、この反対に下方の特殊水領域８０内の特殊水を上方のドライクリーニング溶剤領域８４内のドライクリーニング溶剤側に移動噴射させるようにしても良い。更に、ノズル８６を使用せずに、ポンプ７４の流体圧だけで網９２に噴射させても良いが、ノズル８６を使用することによって、ドライクリーニング溶剤と特殊水とをより効率良く攪拌させることができる。
【００５７】
前述したように、洗濯の回数が増えるにつれて、本発明のクリーニング用洗剤が洗濯機６０の内部で徐々に減少してゆく。図６に示すように、吸入管７６の開口部９８を上方のドライクリーニング溶剤領域８４内に配置した場合に、最上位のドライクリーニング溶剤領域８４の液面１００が低下して、吸入管７６の開口部９８がドライクリーニング溶剤領域８４の液面１００より上方に位置し、ポンプ７４が空気のみを吸入しポンプ７４が働かなくなるという欠点がある。この欠点を避けるため、開口部９８よりも下方の吸入管７６の途中に、管の内外を連絡するスリット即ち穴１０２を形成する。この穴１０２は、例えば数百回の洗濯を行って最上位のドライクリーニング溶剤領域８４の液面１００が低下しても、穴１０２からドライクリーニング溶剤が吸入管７６を経てポンプ７４に至るように設定する。この穴１０２は乳化物領域８２に至っている。この結果、ポンプ７４を確実に作動させることができるので、ドライクリーニング溶剤と特殊水とを確実に混合攪拌させることができる。なお、穴１０２の全体の断面積を開口部９８の断面積より小さく設定することで、ドライクリーニング溶剤を乳化物より多くポンプ７４に導入することができ、ドライクリーニング溶剤と特殊水との乳化を促進することができる。更に、吸入管７６の適宜位置にゴミを除去するためのフィルタ(図示せず)を設けても良い。
【図面の簡単な説明】
【００５８】
【図１】本発明に係るクリーニング用洗剤に使用する第１特殊水の製造装置の実施例を示す構成図である。
【図２】図１に示す製造装置に用いるイオン生成器の要部断面図である。
【図３】本発明に係るクリーニング用洗剤に使用する第３特殊水の製造装置の実施例を示す構成図である。
【図４】本発明に係るクリーニング用洗剤を使用する洗濯機の要部断面図である。
【図５】図４に使用するポンプの吐出管の要部断面図である。
【図６】図４に使用するポンプの吸入管の要部断面図である。
【符号の説明】
【００５９】
１０  第１軟水生成器
１２  第２軟水生成器
１４  イオン生成器
１６  岩石収納器
３２  イオン交換樹脂
４６  トルマリン混合体
４８  混合用金属
５４  岩石
６０  洗濯機
６２  ハウジング
７４  ポンプ
７６  吸入管
７８  吐出管
８６  ノズル
９２  網
９８  開口部
１０２  穴
【図１】
2008106168.tif 000003
【図２】
2008106168.tif 000004
【図３】
2008106168.tif 000005
【図４】
2008106168.tif 000006
【図５】
2008106168.tif 000007
【図６】
2008106168.tif 000008
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
水を最初にイオン交換樹脂を通過させ、次にトルマリンに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項２】
前記ドライクリーニング溶剤の重量１００に対し前記ひまし油の重量７以上としたことを特徴とする請求項１記載のクリーニング用洗剤。
【請求項３】
前記イオン交換樹脂がイオン交換によってナトリウムイオンを発生させることを特徴とする請求項１記載のクリーニング用洗剤。
【請求項４】
前記トルマリンに、アルミニウム，ステンレス及び銀のうちの少なくとも１つから成る金属を混在させたことを特徴とする請求項１記載のクリーニング用洗剤。
【請求項５】
前記トルマリンと前記金属との重量比を１０：１〜１：１０としたことを特徴とする請求項４記載のクリーニング用洗剤。
【請求項６】
前記トルマリンはセラミックに対し重量比１０％以上の割合で混合させて８００°Ｃ以上で加熱したものとすることを特徴とする請求項１記載のクリーニング用洗剤。
【請求項７】
前記マイナス電子を有する岩石が黒曜石，真珠岩及び松脂岩のうちの少なくとも１つから成ることを特徴とする請求項１記載のクリーニング用洗剤。
【請求項８】
前記マイナス電子を有する岩石を８００°Ｃ以上で加熱したものとすることを特徴とする請求項１記載のクリーニング用洗剤。
【請求項９】
水を最初にイオン交換樹脂を通過させ、次にトルマリンに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項１０】
前記ドライクリーニング溶剤の重量１００に対し前記ひまし油の重量７以上としたことを特徴とする請求項９記載のクリーニング用洗剤。
【請求項１１】
前記イオン交換樹脂がイオン交換によってナトリウムイオンを発生させることを特徴とする請求項９記載のクリーニング用洗剤。
【請求項１２】
前記トルマリンに、アルミニウム，ステンレス及び銀のうちの少なくとも１つから成る金属を混在させたことを特徴とする請求項９記載のクリーニング用洗剤。
【請求項１３】
前記トルマリンと前記金属との重量比を１０：１〜１：１０としたことを特徴とする請求項１２記載のクリーニング用洗剤。
【請求項１４】
前記トルマリンはセラミックに対し重量比１０％以上の割合で混合させて８００°Ｃ以上で加熱したものとすることを特徴とする請求項９記載のクリーニング用洗剤。
【請求項１５】
水を最初にイオン交換樹脂を通過させ、次にマイナス電子を有する岩石に通過させて、その後トルマリンに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項１６】
前記ドライクリーニング溶剤の重量１００に対し前記ひまし油の重量７以上としたことを特徴とする請求項１５記載のクリーニング用洗剤。
【請求項１７】
前記イオン交換樹脂がイオン交換によってナトリウムイオンを発生させることを特徴とする請求項１５記載のクリーニング用洗剤。
【請求項１８】
前記トルマリンに、アルミニウム，ステンレス及び銀のうちの少なくとも１つから成る金属を混在させたことを特徴とする請求項１５記載のクリーニング用洗剤。
【請求項１９】
前記トルマリンと前記金属との重量比を１０：１〜１：１０としたことを特徴とする請求項１８記載のクリーニング用洗剤。
【請求項２０】
前記トルマリンはセラミックに対し重量比１０％以上の割合で混合させて８００°Ｃ以上で加熱したものとすることを特徴とする請求項１５記載のクリーニング用洗剤。
【請求項２１】
前記マイナス電子を有する岩石が黒曜石，真珠岩及び松脂岩のうちの少なくとも１つから成ることを特徴とする請求項１５記載のクリーニング用洗剤。
【請求項２２】
前記マイナス電子を有する岩石を８００°Ｃ以上で加熱したものとすることを特徴とする請求項１５記載のクリーニング用洗剤。
【請求項２３】
最初にイオン交換樹脂を通過させ、次にマイナス電子を有する岩石に通過させて成る第４特殊水と、ドライクリーニング溶剤と、ひまし油とを混合して成るものであって、前記第４特殊水と前記ドライクリーニング溶剤の重量比を４０：６０〜６０：４０とし、前記ドライクリーニング溶剤の重量１００に対し前記ひまし油の重量３以上としたことを特徴とするクリーニング用洗剤。
【請求項２４】
前記ドライクリーニング溶剤の重量１００に対し前記ひまし油の重量７以上としたことを特徴とする請求項２３記載のクリーニング用洗剤。
【請求項２５】
前記イオン交換樹脂がイオン交換によってナトリウムイオンを発生させることを特徴とする請求項２３記載のクリーニング用洗剤。
【請求項２６】
前記マイナス電子を有する岩石が黒曜石，真珠岩及び松脂岩のうちの少なくとも１つから成ることを特徴とする請求項２３記載のクリーニング用洗剤。
【請求項２７】
前記マイナス電子を有する岩石を８００°Ｃ以上で加熱したものとすることを特徴とする請求項２３記載のクリーニング用洗剤。
【請求項２８】
水を最初にイオン交換樹脂を通過させ、次にトルマリンに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項２９】
前記吐出管の出口付近にノズルを備え、前記ノズルからの流体を前記網に噴射させることを特徴とする請求項２８記載のクリーニング用洗剤を使用する洗濯機。
【請求項３０】
前記吸入管の開口部を吐出管の開口部より上方に配置した場合において、前記吸入管における開口部より下方の位置に管の内外に通じる穴を設けたことを特徴とする請求項２８記載のクリーニング用洗剤を使用する洗濯機。
【請求項３１】
前記ドライクリーニング溶剤の重量１００に対し前記ひまし油の重量７以上としたことを特徴とする請求項２８記載のクリーニング用洗剤を使用する洗濯機。
【請求項３２】
前記トルマリンに、アルミニウム，ステンレス及び銀のうちの少なくとも１つから成る金属を混在させたことを特徴とする請求項２８記載のクリーニング用洗剤を使用する洗濯機。
【請求項３３】
前記マイナス電子を有する岩石が黒曜石，真珠岩及び松脂岩のうちの少なくとも１つから成ることを特徴とする請求項２８記載のクリーニング用洗剤を使用する洗濯機。
【請求項３４】
水を最初にイオン交換樹脂を通過させ、次にトルマリンに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項３５】
前記吐出管の出口付近にノズルを備え、前記ノズルからの流体を前記網に噴射させることを特徴とする請求項３４記載のクリーニング用洗剤を使用する洗濯機。
【請求項３６】
前記吸入管の開口部を吐出管の開口部より上方に配置した場合において、前記吸入管における開口部より下方の位置に管の内外に通じる穴を設けたことを特徴とする請求項３４記載のクリーニング用洗剤を使用する洗濯機。
【請求項３７】
前記ドライクリーニング溶剤の重量１００に対し前記ひまし油の重量７以上としたことを特徴とする請求項３４記載のクリーニング用洗剤を使用する洗濯機。
【請求項３８】
前記トルマリンに、アルミニウム，ステンレス及び銀のうちの少なくとも１つから成る金属を混在させたことを特徴とする請求項３４記載のクリーニング用洗剤を使用する洗濯機。
【請求項３９】
前記マイナス電子を有する岩石が黒曜石，真珠岩及び松脂岩のうちの少なくとも１つから成ることを特徴とする請求項３４記載のクリーニング用洗剤を使用する洗濯機。
【請求項４０】
水を最初にイオン交換樹脂を通過させ、次にマイナス電子を有する岩石に通過させて、その後トルマリンに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項４１】
前記吐出管の出口付近にノズルを備え、前記ノズルからの流体を前記網に噴射させることを特徴とする請求項４０記載のクリーニング用洗剤を使用する洗濯機。
【請求項４２】
前記吸入管の開口部を吐出管の開口部より上方に配置した場合において、前記吸入管における開口部より下方の位置に管の内外に通じる穴を設けたことを特徴とする請求項４０記載のクリーニング用洗剤を使用する洗濯機。
【請求項４３】
前記ドライクリーニング溶剤の重量１００に対し前記ひまし油の重量７以上としたことを特徴とする請求項４０記載のクリーニング用洗剤を使用する洗濯機。
【請求項４４】
前記トルマリンに、アルミニウム，ステンレス及び銀のうちの少なくとも１つから成る金属を混在させたことを特徴とする請求項４０記載のクリーニング用洗剤を使用する洗濯機。
【請求項４５】
前記マイナス電子を有する岩石が黒曜石，真珠岩及び松脂岩のうちの少なくとも１つから成ることを特徴とする請求項４０記載のクリーニング用洗剤を使用する洗濯機。
【請求項４６】
最初にイオン交換樹脂を通過させ、次にマイナス電子を有する岩石に通過させて成る第４特殊水と、ドライクリーニング溶剤と、ひまし油とを混合して成るものであって、前記第４特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連絡するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするクリーニング用洗剤を使用する洗濯機。
【請求項４７】
前記吐出管の出口付近にノズルを備え、前記ノズルからの流体を前記網に噴射させることを特徴とする請求項４６記載のクリーニング用洗剤を使用する洗濯機。
【請求項４８】
前記吸入管の開口部を吐出管の開口部より上方に配置した場合において、前記吸入管における開口部より下方の位置に管の内外に通じる穴を設けたことを特徴とする請求項４６記載のクリーニング用洗剤を使用する洗濯機。
【請求項４９】
前記ドライクリーニング溶剤の重量１００に対し前記ひまし油の重量７以上としたことを特徴とする請求項４６記載のクリーニング用洗剤を使用する洗濯機。
【請求項５０】
前記マイナス電子を有する岩石が黒曜石，真珠岩及び松脂岩のうちの少なくとも１つから成ることを特徴とする請求項４６記載のクリーニング用洗剤を使用する洗濯機。
【手続補正２】
【補正対象書類名】明細書
【補正対象項目名】００１０
【補正方法】変更
【補正の内容】
【００１０】
本発明に係るクリーニング用洗剤水は、水を最初にイオン交換樹脂を通過させ、次にトルマリンに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記トルマリンに、アルミニウム，ステンレス及び銀のうちの少なくとも１つから成る金属を混在させたことを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【手続補正３】
【補正対象書類名】明細書
【補正対象項目名】００１１
【補正方法】変更
【補正の内容】
【００１１】
本発明に係るクリーニング用洗剤水は、水を最初にイオン交換樹脂を通過させ、次にトルマリンに通過させて成る第２特殊水と、ドライクリーニング溶剤と、ひまし油とを混合して成るものであって、前記第２特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記トルマリンに、アルミニウム，ステンレス及び銀のうちの少なくとも１つから成る金属を混在させたことを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。
【手続補正４】
【補正対象書類名】明細書
【補正対象項目名】００１２
【補正方法】変更
【補正の内容】
【００１２】
本発明に係るクリーニング用洗剤水は、水を最初にイオン交換樹脂を通過させ、次にマイナス電子を有する岩石に通過させて、その後トルマリンに通過させて成る第３特殊水と、ドライクリーニング溶剤と、ひまし油とを混合して成るものであって、前記第３特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記トルマリンに、アルミニウム，ステンレス及び銀のうちの少なくとも１つから成る金属を混在させたことを特徴とするものである。本発明は、前記トルマリンと前記金属との重量比を１０：１〜１：１０としたことを特徴とするものである。本発明は、前記トルマリンはセラミックに対し重量比１０％以上の割合で混合させて８００°Ｃ以上で加熱したものとすることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【手続補正５】
【補正対象書類名】明細書
【補正対象項目名】００１３
【補正方法】変更
【補正の内容】
【００１３】
本発明に係るクリーニング用洗剤水は、最初にイオン交換樹脂を通過させ、次にマイナス電子を有する岩石に通過させて成る第４特殊水と、ドライクリーニング溶剤と、ひまし油とを混合して成るものであって、前記第４特殊水と前記ドライクリーニング溶剤の重量比を４０：６０〜６０：４０とし、前記ドライクリーニング溶剤の重量１００に対し前記ひまし油の重量３以上としたことを特徴とするものである。本発明は、前記ドライクリーニング溶剤の重量１００に対し前記ひまし油の重量７以上としたことを特徴とするものである。本発明は、前記イオン交換樹脂がイオン交換によってナトリウムイオンを発生させることを特徴とするものである。本発明は、前記マイナス電子を有する岩石が黒曜石，真珠岩及び松脂岩のうちの少なくとも１つから成ることを特徴とするものである。本発明は、前記マイナス電子を有する岩石を８００°Ｃ以上で加熱したものとすることを特徴とするものである。
【手続補正６】
【補正対象書類名】明細書
【補正対象項目名】００１４
【補正方法】変更
【補正の内容】
【００１４】
本発明のクリーニング用洗剤を使用する洗濯機は、水を最初にイオン交換樹脂を通過させ、次にトルマリンに通過させて、その後マイナス電子を有する岩石を通過させて成る第１特殊水と、ドライクリーニング溶剤と、ひまし油とを混合して成るものであって、前記第１特殊水と前記ドライクリーニング溶剤の重量比を４０：６０〜６０：４０とし、前記ドライクリーニング溶剤の重量１００に対し前記ひまし油の重量３以上としたクリーニング用洗剤を使用する洗濯機であって、ハウジングを有し、前記ハウジングの内部に吸入管と吐出管とを連結するポンプを備え、前記クリーニング用洗剤を前記ハウジング内部に貯留し、内部に貯溜する前記クリーニング用洗剤の上位に吸入管か吐出管の一方の開口部を配置し、内部に貯溜する前記クリーニング用洗剤の下位に吸入管か吐出管の他方の開口部を配置し、前記吐出管の下流側に網を配置し、前記ポンプから前記吐出管に吐出する流体を前記網に噴射することを特徴とするものである。本発明は、前記吐出管の出口付近にノズルを備え、前記ノズルからの流体を前記網に噴射させることを特徴とするものである。本発明は、前記吸入管の開口部を吐出管の開口部より上方に配置した場合において、前記吸入管における開口部より下方の位置に管の内外に通じる穴を設けたことを特徴とするものである。本発明は、前記ドライクリーニング溶剤の重量１００に対し前記ひまし油の重量７以上としたことを特徴とするものである。本発明は、前記トルマリンに、アルミニウム，ステンレス及び銀のうちの少なくとも１つから成る金属を混在させたことを特徴とするものである。本発明は、前記マイナス電子を有する岩石が黒曜石，真珠岩及び松脂岩のうちの少なくとも１つから成ることを特徴とするものである。